(57)【要約】
【課題】広告内容を表示するのに十分な表示領域を確保するとともに、消費者の目にとまり易いよう商品の上面および側面の双方から視認可能とする商品取付用広告用具を提供する。
【解決手段】商品の上端面上に載せられるリーフレット２と、当該リーフレット２の上から被せられて商品の外周縁と嵌合するキャップ３とを備える。また、リーフレット２は、商品の上端面に当接する載置リーフレット部１３と、商品の側面に沿って垂下される垂下リーフレット部１５と、載置リーフレット部１３と垂下リーフレット部１５とを連結する連結部１６とを有する。載置リーフレット部１３と垂下リーフレット部１５の表面には、商品を購入した際に得られる特典の内容を示す広告内容１７，１８が印刷されている。よって、商品の上面および側面の双方から広告内容が視認可能となるとともに、アイキャッチ効果に優れた商品とすることができる。
【選択図】      図１
0003101015.tif 000002
【実用新案登録請求の範囲】
【請求項１】
商品の上端面上に載せられるリーフレットと、当該リーフレットの上から被せられて商品の外周縁と嵌合するキャップとを備え、
前記リーフレットは、
前記商品の上端面に当接する載置リーフレット部と、
前記商品の側面に沿って垂下されてその形状が前記商品の上端面より大きい垂下リーフレット部と、
前記載置リーフレット部と垂下リーフレット部とを連結する連結部と
を有することを特徴とする商品取付用広告用具。
【請求項２】
商品の上端面上に載せられるリーフレットと、当該リーフレットの上から被せられて商品の外周縁と嵌合するキャップとを備え、
前記リーフレットは、
前記商品の上端面に当接する載置リーフレット部と、
前記商品の側面に沿って垂下されてその形状が前記商品の上端面より小さい垂下リーフレット部と、
前記載置リーフレット部と垂下リーフレット部とを連結する連結部とを有し、
前記垂下リーフレット部は、前記連結部とともに、前記載置リーフレット部と連結部との境界線で折り畳まれて前記キャップ内に収納可能に構成される商品取付用広告用具。
【請求項３】
前記載置リーフレット部は、前記商品の上端面と略同一形状に形成されている請求項１又は２に記載の商品取付用広告用具。
【請求項４】
前記リーフレットは、前記載置リーフレット部と連続して形成されて当該載置リーフレット部と略同一形状の折畳部を有し、当該折畳部は前記載置リーフレット部との境界線で折り畳まれて前記キャップ内に収納可能に構成される請求項１乃至３のいずれか１項に記載の商品取付用広告用具。
【請求項５】
前記商品はプルタブが設けられた飲料用の缶体であって、当該商品の上端面の中心角４５度以内の円弧に対応する長さに前記連結部の幅が設定されている請求項１乃至４のいずれか１項に記載の商品取付用広告用具。
【請求項６】
前記垂下リーフレット部は、前記商品の上端面に複数設けられている請求項１乃至５のいずれか１項に記載の商品取付用広告用具。
【請求項７】
前記垂下リーフレット部は、前記リーフレットに印刷等により表示される対象景品の外形形状を模した形状に形成されている請求項１乃至６のいずれか１項に記載の商品取付用広告用具。
【請求項８】
前記キャップは透明に形成されている請求項１乃至７のいずれか１項に記載の商品取付用広告用具。
【請求項９】
前記垂下リーフレット部は、所定の景品が装着される装着部を有する請求項１乃至８のいずれか１項に記載の商品取付用広告用具。
【考案の詳細な説明】
【技術分野】
【０００１】
本考案は、市販用等の商品の上端にキャップを被せて使用する商品取付用広告用具に関する。
【背景技術】
【０００２】
店頭で販売される商品、例えばビールやジュース、お茶、コーヒー等の飲料は、販売促進の目的から様々なキャンペーンが行われ、その告知のため飲料缶等にＰＯＰ広告（販売時点広告）として商品自体に付加的な広告がなされている。例えば、缶の側面に景品と応募方法の内容を表示したポイントシールを貼り付ける。そして、消費者はそのポイントシールを利用して景品抽選に応募できるといったものである。
【０００３】
このように、商品に直接広告を付して、その付加的価値をアピールして消費者の購買意欲をそそることで効果的な販売促進を行うことができる。こういった効果を狙った広告は広く用いられており、その具体例が特許文献１に提案されている。
【０００４】
この特許文献１における広告は、通常、広告のスペースとして利用されないプルタブが設けられた缶の端板（上面）にリーフレットが載せられ、リーフレットの上から缶の端板およびリムに透明のキャップが被せられる。そして、このリーフレットに宣伝や飲料の特性、品質、効能等を印刷等により表示し、消費者に訴えることができるというものであった。
【特許文献１】特開２００３−１０４４２１（請求項１、図１）
【考案の開示】
【考案が解決しようとする課題】
【０００５】
しかしながら、特許文献１においては、広告の表示領域が缶の上面分しか確保できないため、売り場で上下の幅の狭い冷蔵庫の専用陳列棚や、陳列棚の上段に収納されているような場合には、上面部分の広告を視認することが不可能となり、せっかく缶に広告を付しても、その付加的価値を十分にアピールすることができなかった。
【０００６】
そこで、上記問題を解決するため、本考案は、広告内容を表示するのに十分な表示領域を確保するとともに、消費者の目にとまり易いよう商品の上面および側面の双方から視認可能とする商品取付用広告用具を提供することを目的とする。
【課題を解決するための手段】
【０００７】
上記目的を達成するため、請求項１に係る商品取付用広告用具は、商品の上端面上に載せられるリーフレットと、当該リーフレットの上から被せられて商品の外周縁と嵌合するキャップとを備え、前記リーフレットは、前記商品の上端面に当接する載置リーフレット部と、前記商品の側面に沿って垂下されてその形状が前記商品の上端面より大きい垂下リーフレット部と、前記リーフレット部と垂下リーフレット部とを連結する連結部とを有することを要旨とする。
【０００８】
請求項２に係る商品取付用広告用具は、商品の上端面上に載せられるリーフレットと、当該リーフレットの上から被せられて商品の外周縁と嵌合するキャップとを備え、前記リーフレットは、前記商品の上端面に当接する載置リーフレット部と、前記商品の側面に沿って垂下されてその形状が前記商品の上端面より小さい垂下リーフレット部と、前記載置リーフレット部と垂下リーフレット部とを連結する連結部とを有し、前記垂下リーフレット部は、前記連結部とともに、前記載置リーフレット部と連結部との境界線で折り畳まれて前記キャップ内に収納可能に構成されることを要旨とする。
【０００９】
請求項３に係る商品取付用広告用具は、請求項１又は２に記載の商品取付用広告用具において、前記載置リーフレット部は、前記商品の上端面と略同一形状に形成されていることを要旨とする。
【００１０】
請求項４に係る商品取付用広告用具は、請求項１乃至３のいずれか１項に記載の商品取付用広告用具において、前記リーフレットは、前記載置リーフレット部と連続して形成されて当該載置リーフレット部と略同一形状の折畳部を有し、当該折畳部は前記載置リーフレット部との境界線で折り畳まれて前記キャップ内に収納可能に構成されることを要旨とする。
【００１１】
請求項５に係る商品取付用広告用具は、請求項１乃至４のいずれか１項に記載の商品取付用広告用具において、前記商品はプルタブが設けられた飲料用の缶体であって、当該商品の上端面の中心角４５度以内の円弧に対応する長さに前記連結部の幅が設定されていることを要旨とする。
【００１２】
請求項６に係る商品取付用広告用具は、請求項１乃至５のいずれか１項に記載の商品取付用広告用具において、前記垂下リーフレット部は、前記商品の上端面に複数設けられていることを要旨とする。
【００１３】
請求項７に係る商品取付用広告用具は、請求項１乃至６のいずれか１項に記載の商品取付用広告用具において、前記垂下リーフレット部は、前記リーフレットに印刷等により表示される対象景品の外形形状を模した形状に形成されていることを要旨とする。
【００１４】
請求項８に係る商品取付用広告用具は、請求項１乃至７のいずれか１項に記載の商品取付用広告用具において、前記キャップは透明に形成されていることを要旨とする。
請求項９に係る商品取付用広告用具は、請求項１乃至８のいずれか１項に記載の商品取付用広告用具において、前記垂下リーフレット部は、所定の景品が装着される装着部を有することを特徴とする。
【考案の効果】
【００１５】
本考案によれば、広告内容を表示するのに十分な表示領域を確保するとともに、消費者の目にとまり易いよう商品の側面からも視認可能とすることができる。
【考案を実施するための最良の形態】
【００１６】
（第１の実施形態）以下、本考案の商品取付用広告用具を飲料用缶の商品取付用広告用具に具体化した第１の実施形態を図１〜図３にしたがって説明する。
図１は、本考案に係る商品取付用広告用具（以下、単に「広告用具」ともいう。）１と缶体２０の取り付けを説明する斜視図であり、図２は、広告用具１を缶体２０に取り付けた態様を示す図、すなわち商品として陳列される際の広告付缶体４０を示す図である。図１に示すように、広告用具１は、紙製のリーフレット２と、リーフレット２の上から缶体２０の上端外周縁に被せられるキャップ３を備える。
【００１７】
缶体２０は、周知の３５０ｍｌ、５００ｍｌ等の飲料用缶であり、アルミニウムや鉄の薄板からなる円筒壁５と、円筒壁５の両端を閉じるアルミニウム製の円形の端板４とを有する密封容器で、内部にはビール、茶、コーヒー等の飲料が充填されている。円筒壁５と端板４との境界部６にはリム７が形成されている。円筒壁５の上端部８はリム７との境界部６へ向けて徐々に絞り加工により小径に形成され、複数の段部が形成されている。さらに、端板４はリム７の上端より下方へ陥没している。端板４の上にはプルタブ９が取り付けられ、プルタブ９により開封される注出口が切れ線１０により形成されている。プルタブ９は、リム７の上端からはみ出ない形態とされている。
【００１８】
キャップ３は、中空で下方が開放した扁平な円柱状の透明体であって、缶体２０の端板４を覆う円板状の上面部１１と、缶体２０のリム７を覆う外周部１２とを有している。外周部１２はリム７より僅かに大径とされ、缶体２０への取り付け時には、外周部１２の内面がリム７の外周に密着するようになっている。また、外周部１２の内周面における、缶体２０のリム７の下端に対応する箇所には突起（図示略）が所望のピッチで複数個設けられている。これらの突起がリム７の下端に係合することにより、キャップ３は缶体２０に強固に固定される。また、キャップ３は、圧空成形、真空成形等の成形手段により合成樹脂で一体成形される。材質はポリプロピレンであり、厚さは約０．２ｍｍ〜０．４ｍｍとすることができる。
【００１９】
図３は、リーフレット２を広げた状態の平面図である。図１、図３に示すように、リーフレット２は、端板４と略同形状の円板状をなす載置リーフレット部１３と折畳部１４、さらに取り付け時に缶体２０の側面に沿って垂下される（図２参照）垂下リーフレット部１５を有する。垂下リーフレット部１５と載置リーフレット部１３は連結部１６によって連結されている。垂下リーフレット部１５の幅Ｗと連結部１６から垂下リーフレット部１５の先端までの長さＬは、載置リーフレット部１３の直径より短く形成されている。よって、図３に示す載置リーフレット部１３と連結部１６の境界にある破線で折り曲げた際、連結部１６と垂下リーフレット部１５が載置リーフレット部１３からはみ出すことなく折り畳まれる。また、連結部１６の幅Ｋは、載置リーフレット部１３における中心角θ＝２５度に対応する長さとなっている。また、図２の商品陳列時の状態では、折畳部１４は図３における２点鎖線にて折り畳まれて、載置リーフレット部１３の下に重ねられている。
【００２０】
載置リーフレット部１３と垂下リーフレット部１５の表面には、缶体２０を購入した際、付加的に得られる特典の内容を示す広告内容１７，１８が印刷されている。ここでは、どういった景品を何名にプレゼントするかが表示されている。また、折畳部１４には、応募方法を示す広告内容１９が印刷されている。広告内容１９は、図２における商品陳列時にはキャップ３内に折り畳まれていてその内容を見ることはできないが、商品購入後に購入者がキャップ３を取り外して折畳部１４を広げることによって見ることができる。
【００２１】
上記第１の実施形態に係る商品取付用広告用具１によれば、以下のような効果を得ることができる。
（１）缶体２０に広告用具１を取り付けた際に、垂下リーフレット部１５が缶体２０の側面に沿って垂下する構成とした。このため、広告付缶体４０の陳列時には、消費者は広告付缶体４０の側面から垂下リーフレット部１５に記載される広告内容１８を見ることができる。よって優れたアイキャッチ効果、宣伝効果が得られる。
【００２２】
（２）載置リーフレット部１３を缶体２０の端板４と略同一形状に形成し、さらに折畳部１４を同様の大きさに形成した。よって、広告表示領域を最大限確保でき、より多くの情報を提示することができる。
【００２３】
（３）垂下リーフレット部１５の幅Ｗと、連結部１６から垂下リーフレット部１５の先端までの長さＬを、載置リーフレット部１３の直径より短く形成される構成とした。よって折畳部１４と連結部１６および垂下リーフレット部１５は、それぞれ折り畳まれて載置リーフレット部１３からはみ出すことなく重ねられる。よって、その状態でキャップ３を被せれば、商品搬送時に、垂下リーフレット部１５がぶらぶらして邪魔になることがなく、また、垂下リーフレット部１５がちぎれて破損する虞もない。
【００２４】
（４）広告付缶体４０の販売陳列時には、キャップ３が缶体２０のプルタブ９側に被せられる構成とした。すなわち、消費者が口を付ける部分とその周辺部分とがキャップ３に覆われるため、広告付缶体４０が消費者の手に渡るまで清潔に保たれるという効果がある。
【００２５】
（５）また、連結部１６の幅Ｋは、載置リーフレット部１３における中心角θ＝２５度に対応する長さとなっている。この連結部１６には、キャップ３が被せられるが、中心角θ＝２５度に対応する長さであれば、連結部１６にしわができにくい。
【００２６】
（第２の実施形態）次に、本考案の第２の実施形態を図４に基づき説明する。なお、第２の実施形態は、第１の実施形態におけるリーフレット２の、特に垂下リーフレット部１５を変更したものであり、その他の点では第１の実施形態と同一の構成になっている。従って、以下ではリーフレット２２についてのみ説明する。第１の実施形態と共通するキャップ３および缶体２０の構成部分についての説明は省略するとともに、同一構成部材には同一の符号が付されることとして説明する。
【００２７】
図４に示すように、本実施形態のリーフレット２２は、端板４と略同一形状の円板状をなす載置リーフレット部２３と折畳部２４、さらに取り付け時に缶体２０の側面に沿って垂下される垂下リーフレット部２５を有する。垂下リーフレット部２５と載置リーフレット部２３は連結部２６によって連結されている。ここで、垂下リーフレット部２５は、載置リーフレット部２３の広告内容２７に表示される景品の形状を模した形状とされている。広告内容２７では、応募景品として抱きマクラが表示されており、したがって垂下リーフレット部２５の形状は抱きマクラの形状を模した形状となっている。
【００２８】
従って、本実施形態においても、第１の実施形態と同様の効果を発揮できるとともに、消費者にとって景品を連想し易くなるため、さらにアイキャッチ効果および宣伝効果を高めることができる。
【００２９】
（第３の実施形態）次に、本考案の第３の実施形態を図５に基づき説明する。なお、第３の実施形態は、第１の実施形態におけるリーフレット２の特に折畳部１４を変更したものであり、その他の点では第１の実施形態と同一の構成になっている。従って、以下ではリーフレット３２についてのみ説明する。第１の実施形態と共通するキャップ３および缶体２０の構成部分についての説明は省略するとともに、同一構成部材には同一の符号が付されることとして説明する。
【００３０】
図５に示すように、本実施形態のリーフレット３２は、端板４と略同一形状の円板状をなす載置リーフレット部３３と、取り付け時に缶体２０の側面に沿って垂下される２つの垂下リーフレット部３５ａ，３５ｂを有する。垂下リーフレット部３５ａ，３５ｂと載置リーフレット部３３は連結部３６ａ，３６ｂによってそれぞれ連結されている。
【００３１】
従って、本実施形態においても、第１の実施形態と同様の効果を発揮できるとともに、缶体２０に取り付けた時には２つの垂下リーフレット部３５ａ，３５ｂを缶体２０の前後方向の双方から視認できる。よって商品陳列時の宣伝効果が高まるというさらなる効果がある。
【００３２】
なお、上記各実施形態は以下のような別の実施形態（別例）に変更しても良い。
・前記実施形態では、折畳部１４，２４が１つ形成されているが、複数枚の折畳部を設けても良い。この場合、表示領域がさらに増加し、商品についての詳細な説明や、ミニ知識等を記載することもできる。
【００３３】
・前記実施形態では、載置リーフレット部１３，２３，３３を缶体２０の端板４と略同一形状の円板状に形成したが、これに代えて星形状、花型形状等としても良い。載置リーフレット部の形状を自由に設定することにより、さらにアイキャッチ効果を図った構成とすることができる。
【００３４】
・前記実施形態におけるリーフレット２の材質は紙としたが、これに代えて合成樹脂やフェルト、化学繊維等としても良い。
・前記実施形態における連結部１６，２６，３６ａ，３６ｂの幅Ｋは、載置リーフレット部１３における中心角θ＝２５度に対応する長さとしたが、この数値に限定されるものではなく、リーフレットの材質によって適宜変更可能である。例えば、中心角θが４５度以下であれば、しわが寄りにくく、３０度以下なら比較的硬質なシートでも使用できる。なお、下限は、リーフレット２の材質に依存し、薄手の紙であれば幅広に、ポリプロピレンシートなどであれば、幅が数ｍｍあれば使用に耐えうる。
【００３５】
・前記実施形態では、キャップ３の材質をポリプロピレンとしたが、これに代えて例えばアモルファスポリエチレンテレフタレートとしても良い。これによれば、缶体２０の飲料が５０度前後に温められるような場合にも耐えうる耐熱性を有する構成とすることができる。
【００３６】
・前記実施形態では、垂下リーフレット部は１つまたは２つとして説明したが、垂下リーフレット部の位置および個数は自由に設定でき、３つ以上の複数の垂下リーフレット部を載置リーフレット部の周囲に一定間隔に設ける構成としても良い。また、一定間隔でなく、ランダムに配置しても良い。
【００３７】
・前記実施形態では、垂下リーフレット部２５を景品の形状に模した形状としたが、その商品（例えば缶体２０）を模した形状としても良いし、単純に長方形状としても良い（図６参照）。
【００３８】
・前記実施形態におけるキャップ３の高さを高くして、キャップ３の上端と載置リーフレット部１３との間に空間ができるように構成しても良い。この場合、空間部分に景品としてマスコット等を直接商品に具備することができる。
【００３９】
・前記実施形態に加えて、載置リーフレット部１３，２３，３３の上にくじを載せてキャップ３を被せる構成としても良い。
・前記実施形態に加えて、垂下リーフレット部に景品を装着する構成としても良い。この場合、図６に示すように、垂下リーフレット部４５に粘着テープ４６でマスコット４１を直に貼り付けることができる。なお、粘着テープ４６が張られる部分が本考案における装着部４２である。
【図面の簡単な説明】
【００４０】
【図１】本考案の第１の実施形態に係る商品取付用広告用具と缶体の取り付けを説明する斜視図。
【図２】第１の実施形態の商品取付用広告用具を缶体に取り付けた態様を示す図。
【図３】第１の実施形態のリーフレットの平面図。
【図４】第２の実施形態のリーフレットの平面図。
【図５】第３の実施形態のリーフレットの平面図。
【図６】別の実施形態における垂下リーフレット部にマスコットを装着した態様を示す図。
【符号の説明】
【００４１】
１…商品取付用広告用具、２，２２，３２…リーフレット、３…キャップ、９…プルタブ、１３，２３，３３…載置リーフレット部、１４，２４…折畳部、１５，２５，３５ａ，３５ｂ…垂下リーフレット部、１６，２６，３６ａ，３６ｂ…連結部、２０…缶体
【図１】
0003101015.tif 000003
【図２】
0003101015.tif 000004
【図３】
0003101015.tif 000005
【図４】
0003101015.tif 000006
【図５】
0003101015.tif 000007
【図６】
0003101015.tif 000008